(57)【特許請求の範囲】
【請求項１】
中心軸が共通で重なり合って配設された円錐台筒状の複数のドラムを備え、各ドラムは、ドラム毎に異なる大きさの選別孔がそれぞれ周面に形成され、該ドラム毎に異なる大きさの選別孔は、中心軸に近いドラムから遠いドラムに行くにしたがって小さく設定され、前記各ドラムを前記中心軸周りに回転させ、最も内側に位置するドラム内に投入された被選別物が各ドラムの選別孔から落下するか否かにより被選別物の選別を行う選別装置であって、
前記各ドラムの前記中心軸に直交する方向の断面積が漸増する方向を、互いに逆方向となるよう前記各ドラムを配設したことを特徴とする選別装置。
【請求項２】
中心軸が共通で重なり合って配設された円錐台筒状の複数のドラムを備え、各ドラムは、ドラム毎に異なる大きさの選別孔がそれぞれ周面に形成され、該ドラム毎に異なる大きさの選別孔は、中心軸に近いドラムから遠いドラムに行くにしたがって小さく設定され、前記各ドラムを前記中心軸周りに回転させ、最も内側に位置するドラム内に投入された被選別物が各ドラムの選別孔から落下するか否かにより被選別物の選別を行う選別装置であって、
前記各ドラムの前記中心軸に直交する方向の断面積が漸増する方向を同方向となるよう前記各ドラムを配設し、
前記各ドラムの間に、前記各ドラムと中心軸が共通で選別孔をもたない円錐台筒状の外套を、その中心軸に直交する方向の断面積が漸増する方向を前記各ドラムとは逆方向となるよう配設したことを特徴とする選別装置。
【請求項３】
前記ドラム内のドラム中心軸方向に交差する方向に堰を設けることを特徴とする請求項１又は２に記載の選別装置。
【発明の詳細な説明】
【技術分野】
【０００１】
本発明は、物を大きさ・寸法あるいは形状（単に大きさと記す。）別に選別する選別装置に関するものである。
【背景技術】
【０００２】
従来、この種の技術としては特許文献１に記載するようなものがあった。
これは、上方から下方に向けて小から大の選別穴を円周面に有する円筒形の選別用ドラム（選別筒）を備えてなるものである。そして、その選別用ドラムの上流側から果実等の被選別物を投入し、そのドラムを中心軸（回転軸）回りに回転させながら選別穴から落下（漏下）させ、被選別物を大きさ別に選別する装置である。選別用ドラム内には、被選別物の走り過ぎ防止するための抑制板（抑制螺旋）を備えている。
【先行技術文献】
【特許文献】
【０００３】
【特許文献１】特開２００７−０５４８１４号公報
【発明の概要】
【発明が解決しようとする課題】
【０００４】
しかしながら上記従来技術では、被選別物の移動のために選別用のドラムの中心軸を傾斜させる必要がある。
【０００５】
本発明の課題は、選別用のドラムの中心軸（回転軸）を傾斜させることなく被選別物を移動させ選別できる選別装置を提供することにある。
【課題を解決するための手段】
【０００６】
上記課題は、選別装置を下記各態様の構成とすることによって解決される。
各態様は、請求項と同様に、項に区分し、各項に番号を付し、必要に応じて他の項の番号を引用する形式で記載する。これは、あくまでも本発明の理解を容易にするためであり、本明細書に記載の技術的特徴及びそれらの組合わせが以下の各項に記載のものに限定されると解釈されるべきではない。また、１つの項に複数の事項が記載されている場合、それら複数の事項を常に一緒に採用しなければならないわけではなく、一部の事項のみを取り出して採用することも可能である。
【０００７】
以下の各項のうち、（１）項が請求項１に、（２）項が請求項２に、（３）項が請求項３に、各々対応する。
【０００８】
（１）  中心軸が共通で重なり合って配設された円錐台筒状の複数のドラムを備え、各ドラムは、ドラム毎に異なる大きさの選別孔がそれぞれ周面に形成され、該ドラム毎に異なる大きさの選別孔は、中心軸に近いドラムから遠いドラムに行くにしたがって小さく設定され、前記各ドラムを前記中心軸周りに回転させ、最も内側に位置するドラム内に投入された被選別物が各ドラムの選別孔から落下するか否かにより被選別物の選別を行う選別装置であって、
前記各ドラムの前記中心軸に直交する方向の断面積が漸増する方向を、互いに逆方向となるよう前記各ドラムを配設したことを特徴とする選別装置。
（２）  中心軸が共通で重なり合って配設された円錐台筒状の複数のドラムを備え、各ドラムは、ドラム毎に異なる大きさの選別孔がそれぞれ周面に形成され、該ドラム毎に異なる大きさの選別孔は、中心軸に近いドラムから遠いドラムに行くにしたがって小さく設定され、前記各ドラムを前記中心軸周りに回転させ、最も内側に位置するドラム内に投入された被選別物が各ドラムの選別孔から落下するか否かにより被選別物の選別を行う選別装置であって、
前記各ドラムの前記中心軸に直交する方向の断面積が漸増する方向を同方向となるよう前記各ドラムを配設し、
前記各ドラムの間に、前記各ドラムと中心軸が共通で選別孔をもたない円錐台筒状の外套を、その中心軸に直交する方向の断面積が漸増する方向を前記各ドラムとは逆方向となるよう配設したことを特徴とする選別装置。
（３）  前記ドラム内のドラム中心軸方向に交差する方向に堰を設けることを特徴とする請求項１又は２に記載の選別装置。
【発明の効果】
【０００９】
（１）項に記載の発明によれば、各ドラムの中心軸に直交する方向の断面積が漸増する方向を、互いに逆方向となるよう各ドラムを配設したことにより、中心軸に近く最も内側に位置するドラム内に投入された被選別物が、そのドラムの中心軸に直交する方向の断面積が漸増する方向に移動しながらそのドラムの選別孔から落下するか否かにより選別され、そして、前記ドラムの選別孔から落下した被選別物が、前記ドラムの外側に位置するドラムの内部を前記ドラムとは逆方向に移動しながら、前記ドラムの選別孔よりも小さく設定された選別孔から落下するか否かにより選別されることとなるため、装置のドラム中心軸方向の全長を長くすることなく、選別処理能力、選別種類数を増大できる。
（２）項に記載の発明によれば、各ドラムの中心軸に直交する方向の断面積が漸増する方向を同方向となるよう各ドラムを配設し、各ドラムの間に、各ドラムと中心軸が共通で選別孔をもたない円錐台筒状の外套を、その中心軸に直交する方向の断面積が漸増する方向を前記各ドラムとは逆方向となるよう配設したことにより、中心軸に近く最も内側に位置するドラム内に投入された被選別物が、そのドラムの中心軸に直交する方向の断面積が漸増する方向に移動しながらそのドラムの選別孔から落下するか否かにより選別され、そして、前記ドラムの選別孔から落下した被選別物が、外套により前記ドラムとは逆方向に移動されて、前記ドラムの外側に位置するドラムの内部に投入されて、このドラム内で、前記ドラムと同方向に移動しながら、前記ドラムの選別孔よりも小さく設定された選別孔から落下するか否かにより選別されることとなるため、装置のドラム中心軸方向の全長を長くすることなく、選別処理能力、選別種類数を増大できる。また、第１ドラムの選別孔から落下した被選別物を全て第２ドラムの径小部側の開口近傍（上流端部）に案内移動するので、選別時間を長くすることができる。
（３）項に記載の発明によれば、被選別物の排出側への移動時間が堰によって長くなるので選別時間を長くすることができる。
【図面の簡単な説明】
【００１０】
【図１】本発明による選別装置の基本構成の概略を示す斜視図である。
【図２】同じく第１応用構成（複数ドラム構成）の概略を示す斜視図である。
【図３】同じく第２応用構成（外套を備えた複数ドラム構成）の概略を示す斜視図である。
【図４】本発明による選別装置の第１実施形態を一部切断して示す側面図である。
【図５】図４中の端面板４２の正面図である。
【図６】図４中の端面板４３の正面図である。
【図７】図４中の端面板４４の正面図である。
【図８】図４中の端面板４５の正面図である。
【図９】図４中のローラを回転槽の上方から示す図である。
【図１０】図９の左側面図である。
【図１１】本発明装置の第２実施形態の概略を一部切断して示す側面図である。
【図１２】図１１中の堰板８１Ａの正面図である。
【図１３】図１１中の堰板８１Ｂの正面図である。
【図１４】図１１中の堰板８１Ｃの正面図である。
【発明を実施するための形態】
【００１１】
以下、本発明の実施の形態を図面に基づき説明する。なお、各図間において、同一符号は同一又は相当部分を示す。
図１は、本発明による選別装置の基本構成の概略を示す斜視図である。
この図に示すように、本発明装置は、基本的には周面に選別孔１Ａが形成された第１ドラム２Ａをその中心軸（ドラム中心軸）３の周りに回転させ、同第１ドラム２Ａ内に、投入口４から被選別物５を投入する。そして、投入された多数の被選別物５の各々が排出口６Ａに至る途中において開口する上記選別孔１Ａから落下するか否かにより、被選別物５の各々について、その大きさ（大きさ・寸法あるいは形状の総称）の選別を行う選別装置である。
第１ドラム２Ａ周面の選別孔１Ａは、１個以上、通常は第１ドラム２Ａの全周に亘って、かつ中心軸３方向に多数個形成される。
【００１２】
すなわち、選別孔１Ａの大きさよりも小さい被選別物５は選別孔１Ａから落下し、選別孔１Ａの大きさよりも大きい被選別物５は選別孔１Ａから落下せずに排出口６Ａから排出され、第１ドラム２Ａ内に投入された多数の被選別物５の各々の大きさの選別が行われる。
【００１３】
図示例では、第１ドラム２Ａの周面部材にメッシュ材７Ａを使用しているので、メッシュ材７Ａの目開きよりも大きいか小さいかによって、投入口４に投入された多数の被選別物５の各々の大きさの選別が行われる。第１ドラム２Ａの周面部材にメッシュ材７Ａを使用した場合には、その１個の目開きが１個の選別孔１Ａを形成する。
なお、図１中のＭは、第１ドラム２Ａを中心軸３周りに回転させるモータである。
【００１４】
このような構成において、多数の被選別物５を投入口４から第１ドラム２Ａ内に投入して、特に連続投入して上記の選別を効率よく行うためには、投入された被選別物５が投入口４の直下で滞留することなく排出口６Ａ側に移動させることが有効である。そして、この移動を被選別物５の自重を利用して行わせることが更に有効である。
このためには、第１ドラム２Ａの内周下面を投入口４側から排出口６Ａ側に向けて下り傾斜させればよいが、その方法としては、第１ドラム２Ａの中心軸３を被選別物５の投入口４側から排出口６Ａ側に向けて下り傾斜させる構成を採ることが一般的である。
本発明では、第１ドラム２Ａを、被選別物５の投入口４側から排出口６Ａ側に向けてその中心軸３に直交する方向の断面積が漸増する円錐台筒状に形成することにより、第１ドラム２Ａの内周下面を投入口４側から排出口６Ａ側に向けて下り傾斜させている。
【００１５】
以上述べた基本構成によれば、第１ドラム２Ａの形状自体（円錐台筒状）によって被選別物５の排出口６Ａ側への自重を利用した移動が行われるため、第１ドラム２Ａの中心軸３を傾けることは必須でなくなる。したがって、第１ドラム２Ａの設置時におけるドラム中心軸３の向き設定の自由度が増す。
特に、被選別物５の排出口６Ａ側への自重を利用した移動のために必要な第１ドラム２Ａの適正な傾斜角度を、第１ドラム２Ａの円錐台形状自体に設定しておけば、次のような効果を発揮できる。すなわち、第１ドラム２Ａの設置時におけるドラム中心軸３の向きの細かい調整をすることなく、単に水平方向に向けるだけで、上記の下り傾斜を適正に設定できる。
なお、選別に当たっては、第１ドラム２Ａ内に被選別物５を投入した後、第１ドラム２Ａを回転させてもよい。
【００１６】
図２は、本発明による選別装置の第１応用構成の概略を、一部を破断し、あるいは省略して示す斜視図である。
この第１応用例では、周面に選別孔１が形成されたドラム２を複数個、ここでは３個のドラム２（第１ドラム２Ａ、第２ドラム２Ｂ、第３ドラム２Ｃ）を備えてなる。
この場合、第１ドラム２Ａの外周に第２ドラム２Ｂが、第２ドラム２Ｂの外周に第３ドラム２Ｃが、各々中心軸３を共通にして所定の間隔を置いて重なり合って配設されている。
そして、各ドラム２（２Ａ〜２Ｃ）の周面の選別孔１（１Ａ〜１Ｃ）は、各ドラム２毎に設定された大きさで揃えられているが、選別孔１が大きく設定されたドラム２が内周側に位置するように、重なり合って配設されている。すなわち、選別孔１Ａ〜１Ｃの大きさは、１Ａ＞１Ｂ＞１Ｃに設定されている。なお図２において、選別孔１Ａ〜１Ｃは各々一部のみを示している。
【００１７】
各ドラム２（２Ａ〜２Ｃ）は、いずれも円錐台筒状に形成されているが、ドラム中心軸３に直交する方向の断面積が漸増する方向（以下、断面積漸増方向と記す。）は、互い違いに設定されている。
すなわち、第２ドラム２Ｂの断面積漸増方向は第１ドラム２Ａの断面積漸増方向とは逆方向に向けられ、第３ドラム２Ｃの断面積漸増方向は第２ドラム２Ｂの断面積漸増方向とは逆方向（第１ドラム２Ａの断面積漸増方向と同方向）に向けられている。
そして、第１、第２、第３ドラム２Ａ、２Ｂ、２Ｃの各径大部側の開口は、同第１、第２、第３ドラム２Ａ、２Ｂ、２Ｃにおいてそれらの周面に形成された選別孔１Ａ、１Ｂ、１Ｃから落下しなかった被選別物５の排出口６Ａ、６Ｂ、６Ｃとされる。
【００１８】
図示例では、各ドラム２（２Ａ〜２Ｃ）の周面部材にメッシュ材７（７Ａ〜７Ｃ）が使用されており、第１ドラム２Ａ→第２ドラム２Ｂ→第３ドラム２Ｃの順にメッシュが細かく（目開き寸法が小さく）なるように設定されている。各ドラム２（２Ａ〜２Ｃ）の周面部材にメッシュ材７（７Ａ〜７Ｃ）を使用した場合には、その１個の目開きが１個の選別孔１を形成する。
【００１９】
上記の構成により、第１〜第３ドラム２Ａ〜２Ｃの回転時、投入口４から第１ドラム２Ａ内に投入された多数の被選別物５の各々の大きさについて、４種類の選別が行われる。
すなわち、第１ドラム２Ａ内に投入された被選別物５のうち、第１ドラム２Ａのメッシュ材７Ａの目開き（選別孔１Ａ）に対して、大きい被選別物５は第１ドラム２Ａの排出口６Ａから排出され、小さい被選別物５は第１ドラム２Ａの選別孔１Ａから第２ドラム２Ｂの内周下面に落下する。
第２ドラム２Ｂの内周下面に落下した被選別物５のうち、第２ドラム２Ｂのメッシュ材７Ｂの目開き（選別孔１Ｂ）に対して、大きい被選別物５は第２ドラム２Ｂの排出口６Ｂから排出され、小さい被選別物５は第２ドラム２Ｂの選別孔１Ｂから第３ドラム２Ｃの内周下面に落下する。
そして、第３ドラム２Ｃの内周下面に落下した被選別物５のうち、第３ドラム２Ｃのメッシュ材７Ｃの目開き（選別孔１Ｃ）に対して、大きい被選別物５は第３ドラム２Ｃの排出口６Ｃから排出され、小さい被選別物５は第３ドラム２Ｃの選別孔１Ｃから第３ドラム２Ｃの直下に落下する。
【００２０】
以上により、第１〜第３ドラム２Ａ〜２Ｃの回転時、投入口４から第１ドラム２Ａ内に投入された多数の被選別物５に対して、第１、第２、第３ドラム２Ａ、２Ｂ、２Ｃの各排出口６Ａ、６Ｂ、６Ｃから排出されることによる３種類の選別と、第３ドラム２Ｃの選別孔１Ｃから第３ドラム２Ｃの直下に落下することによる１種類の選別との、全４種類の選別が行われる。なお、第１ドラム２Ａ内に被選別物５を投入した後に、第１〜第３ドラム２Ａ〜２Ｃを回転させてもよい。
【００２１】
以上述べた第１応用構成によれば、上述した基本構成による効果に加えて、装置のドラム中心軸３方向の全長を長くすることなく、選別処理能力、選別種類数を増大できるという効果を発揮できる。
なお選別は、被選別物５が選別孔１（１Ａ〜１Ｃ）から落下するか否かにより行われるので、必ずしも被選別物５のサイズと一対一に対応するわけではない。例えば、第１ドラム２Ａに投入された被選別物５中に、選別孔１Ａよりも大きいサイズの被選別物５が複数種類あった場合には、この複数サイズ種の被選別物５は全て排出口６Ａから排出される。逆に、選別孔１Ａよりも小さいサイズの被選別物５が複数種類あった場合には、この複数サイズ種の被選別物５は全て選別孔１Ａから落下する。同様に、選別孔１Ｂよりも小さいが選別孔１Ｃよりも大きいサイズの被選別物５が複数種類あった場合には、この複数サイズ種の被選別物５は全て排出口６Ｃから排出されるもので、１種類の選別とはこのような選別を意味するもので、必ずしも被選別物５のサイズと一対一に選別されるわけではない。以下の例においても同様である。
【００２２】
図３は、本発明による選別装置の第２応用構成の概略を、一部を破断し、あるいは省略して示す斜視図である。
この第２応用例では、周面に選別孔１が形成されたドラム２を、複数個、ここでは２個のドラム（第１ドラム２Ａ、第２ドラム２Ｂ）を備えると共に外套３１を備えてなる。
この場合、第１ドラム２Ａの外周に外套３１が、外套３１の外周に第２ドラム２Ｂが、各々中心軸３を共通にして所定の間隔を置いて重なり合って配設されている。
そして、各ドラム２（２Ａ、２Ｂ）の周面の選別孔１（１Ａ、１Ｂ）は、各ドラム２毎に設定された大きさで揃えられているが、選別孔１が大きく設定されたドラム２が内周側に位置するように、重なり合って配設されている。すなわち、選別孔１Ａ、１Ｂの大きさは、１Ａ＞１Ｂに設定されている。外套３１は選別孔が形成されていない板体からなる。なお図３において、選別孔１Ａ、１Ｂは各々一部のみを示している。
【００２３】
上記第１、第２ドラム２Ａ、２Ｂ及び外套３１は、いずれも円錐台筒状に形成されているが、ドラム中心軸３に直交する方向の断面積が漸増する方向（断面積漸増方向）は、互い違いに設定されている。
すなわち、外套３１の断面積漸増方向は第１ドラム２Ａの断面積漸増方向とは逆方向に向けられ、第２ドラム２Ｂの断面積漸増方向は外套３１の断面積漸増方向とは逆方向（第１ドラム２Ａの断面積漸増方向と同方向）に向けられている。
そして、第１、第２ドラム２Ａ、２Ｂの各径大部側の開口は、同第１、第２ドラム２Ａ、２Ｂにおいてそれらの周面に形成された選別孔１Ａ、１Ｂから落下しなかった被選別物５の排出口６Ａ、６Ｂとされる。
【００２４】
図示例では、第１、第２ドラム２Ａ、２Ｂの周面部材にいずれもメッシュ材７（７Ａ、７Ｂ）が使用されており、第１ドラム２Ａ→第２ドラム２Ｂの順にメッシュが細かく（目開き寸法が小さく）なるように設定されている。第１、第２ドラム２Ａ、２Ｂの周面部材にメッシュ材７（７Ａ、７Ｂ）を使用した場合には、その１個の目開きが１個の選別孔１を形成する。
【００２５】
上記の構成により、第１、第２ドラム２Ａ、２Ｂの回転時、投入口４から第１ドラム２Ａ内に投入された多数の被選別物５の各々の大きさについて、３種類の選別が行われる。
すなわち、第１ドラム２Ａ内に投入された被選別物５のうち、第１ドラム２Ａのメッシュ材７Ａの目開き（選別孔１Ａ）に対して、大きい被選別物５は第１ドラム２Ａの排出口６Ａから排出され、小さい被選別物５は第１ドラム２Ａの選別孔１Ａから外套３１の内周下面に落下する。
【００２６】
外套３１は、第１ドラム２Ａの選別孔１Ａから落下した被選別物５を受けて、同第１ドラム２Ａにおける中心軸３方向の落下位置に拘わらず全て第２ドラム２Ｂの径小部側の開口近傍（上流端部）に案内移動する。
案内移動された被選別物５のうち、第２ドラム２Ｂのメッシュ材７Ｂの目開き（選別孔１Ｂ）に対して、大きい被選別物５は第２ドラム２Ｂの排出口６Ｂから排出され、小さい被選別物５は第２ドラム２Ｂの選別孔１Ｂから第２ドラム２の直下に落下する。
【００２７】
以上により、第１、第２ドラム２Ａ、２Ｂ及び外套３１の回転時、投入口４から第１ドラム２Ａ内に投入された多数の被選別物５に対して、第１、第２ドラム２Ａ、２Ｂの各排出口６Ａ、６Ｂから排出されることによる２種類の選別と、第２ドラム２Ｂのメッシュ材７Ｂの目開き（選別孔１Ｂ）から第２ドラム２Ｂの直下に落下した１種類の選別との、全３種類の選別が行われる。なお、第１ドラム２Ａ内に被選別物５を投入した後に、第１、第２ドラム２Ａ、２Ｂ及び外套３１を回転させてもよい。
【００２８】
以上述べた第２応用構成によれば、上述した基本構成による効果に加えて、装置のドラム中心軸３方向の全長を長くすることなく、選別処理能力、選別種類数を増大できるという効果を発揮できる。
【００２９】
特に、外套３１を設けたことによれば、第１ドラム２Ａの選別孔１Ａから落下した被選別物５を全て第２ドラム２Ｂの径小部側の開口近傍（上流端部）に案内移動するので、第１、第２ドラム２Ａ、２Ｂの傾斜方向が同じでも両ドラム２Ａ、２Ｂを内外周に配置できる。
また、第２ドラム２Ｂ（メッシュ材７Ｂ）による選別時間を、外套３１を設けない構成に比べて長くすることができる。
【００３０】
次に、図４〜図１０を参照して本発明による選別装置の第１実施形態を説明する。
図４は、本発明装置の第１実施形態の全体構成を一部切断して示す側面図である。この図から分かるように、第１実施形態は図２に示す第１応用構成を適用したものであって、図２に示す構成部分は、図４においてはその断面が示されている。
図４に示すように、第１実施形態の選別装置は、３個のドラム２（第１ドラム２Ａ、第２ドラム２Ｂ、第３ドラム２Ｃ）を備えてなる。この場合、第１〜第３ドラム２Ａ〜２Ｃは、内周側から外周側に向かって第１ドラム２Ａ→第２ドラム２Ｂ→第３ドラム２Ｃの順で、所定の間隔を置いて重なり合って配設されている。ドラム中心軸３は第１〜第３ドラム２Ａ〜２Ｃに共通である。
第１〜第３ドラム２Ａ〜２Ｃは、いずれも円錐台筒状に形成されているが、断面積漸増方向は互い違いに設定されている。
【００３１】
第１〜第３ドラム２Ａ〜２Ｃの各周面には、図４では図示を省略しているが、図２に示すように選別孔１（１Ａ、１Ｂ、１Ｃ）が形成されている。この場合、選別孔１Ａ、１Ｂ、１Ｃの大きさは、１Ａ＞１Ｂ＞１Ｃに設定されている。
第１〜第３ドラム２Ａ〜２Ｃの各径大部側の開口は、同第１〜第３ドラム２Ａ〜２Ｃにおいてそれらの周面に形成された上記選別孔１Ａ、１Ｂ、１Ｃから落下しなかった被選別物５の排出口６Ａ、６Ｂ、６Ｃとされる。
【００３２】
第１〜第３ドラム２Ａ〜２Ｃの各周面部材にはメッシュ材７（７Ａ、７Ｂ、７Ｃ）が使用されており、第１ドラム２Ａ→第２ドラム２Ｂ→第３ドラム２Ｃの順に目開き寸法が小さくなるように設定されている。メッシュ材７Ａ、７Ｂ、７Ｃの１個の目開きは１個の選別孔１Ａ、１Ｂ、１Ｃ（図２参照）を形成する。
【００３３】
上記のように構成された第１〜第３ドラム２Ａ〜２Ｃは、回転槽４１内に一体に組み込み収容されている。
この回転槽４１は、両端（図中、左右端）側に、各々対向する一対の端面板４２、４３；４４、４５を備える。
端面板４２、４３；４４、４５は、図５〜図８に示すように、各々同径の外形状円形に形成されて複数のフレーム４６によって連結され、位置決め固定されている。
図５、図６に示すように、左端面板４２、４３には、中央部に第１ドラム２Ａの径小部側の開口に連通する貫通穴４２ａ、４３ａが穿設されて、被選別物５の投入口４を形成する。
左端面板４３及び右端面板４５は、図４に示す位置関係を保持した状態で、第１〜第３ドラム２Ａ〜２Ｃを回転槽４１内に一体に組み込み収容するために、第１〜第３ドラム２Ａ〜２Ｃの左右端部を支持固定する（図６、図８参照）。図示例では、第１ドラム２Ａの右端部は右端面板４４に固定されている（図７参照）。
第１〜第３ドラム２Ａ〜２Ｃの各径大部側を固定する右端面板４４、左端面板４３及び右端面板４５には、同ドラム２Ａ〜２Ｃにおける被選別物５の排出口６Ａ〜６Ｃの位置や大きさを制限するための窓４３ｂ、４４ａ、４５ｂが各々複数個穿設されている（図６〜図８参照）。
【００３４】
また、右端面板４４の円形中心部、すなわち回転槽４１の回転中心となる箇所には、第１〜第３ドラム２Ａ〜２Ｃを中心軸３周りに回転させるモータＭの回転軸４７がフランジ４８を介して連結される。これにより、ドラム中心軸３と回転槽中心軸７１が一致した状態で回転槽４１が回転自在に構成される。
この回転槽４１は、上記のようにモータＭによって回転されるが、その際、回転槽４１を回転自在に支持するローラ８０が同回転槽４１の左右端側に各々一対配設されている（図９、図１０参照）。
【００３５】
回転槽４１及びモータＭの設置箇所は安全カバー４９で覆われ、回転槽４１及びモータＭの設置箇所相互間は隔壁５０で仕切られている。
安全カバー４９には、被選別物５を投入口４に投入するための投入シュート５１が取り付けられている。
なお図４において、６１〜６４は選別後の被選別物５を回収するための回収シュートを示す。具体的には、６１は排出口６Ａから、６２は排出口６Ｂから、６３は排出口６Ｃから、各々排出される被選別物（図４中、点線矢印で示す。）を回収するための回収シュートを示す。６４は、図２に示すように第３ドラム２Ｃの選別孔１Ｃから落下する被選別物５（図４においては点線矢印で示す）を回収するための回収シュートを示す。
【００３６】
以上述べた第１実施形態において、図４中のモータＭを回転させると、モータ回転軸４７に連結された回転槽４１はその中心軸７１周りに回転し、第１〜第３ドラム２Ａ〜２Ｃも中心軸７１と共通の中心軸３周りに回転する。
【００３７】
この第１〜第３ドラム２Ａ〜２Ｃの回転時、投入シュート５１及び投入口４を順次経て第１ドラム２Ａ内に被選別物５が投入されると、被選別物５の各々の大きさについて、４種類の選別が行われる。
すなわち、第１ドラム２Ａ内に投入された被選別物５のうち、第１ドラム２Ａのメッシュ材７Ａの目開きよりも大きい被選別物５は第１ドラム２Ａの排出口６Ａから排出され、小さい被選別物５は第１ドラム２Ａの目開きから第２ドラム２Ｂの内周下面に落下する。
第２ドラム２Ｂの内周下面に落下した被選別物５のうち、第２ドラム２Ｂのメッシュ材７Ｂの目開きよりも大きい被選別物５は第２ドラム２Ｂの排出口６Ｂから排出され、小さい被選別物５は第２ドラム２Ｂの目開きから第３ドラム２Ｃの内周下面に落下する。
そして、第３ドラム２Ｃの内周下面に落下した被選別物５のうち、第３ドラム２Ｃのメッシュ材７Ｃの目開きよりも大きい被選別物５は第３ドラム２Ｃの排出口６Ｃから排出され、小さい被選別物５は第３ドラム２Ｃの目開きから第３ドラム２Ｃの直下に落下する。  
【００３８】
排出口６Ａから排出された被選別物（図４中、点線矢印で示す。）は回収シュート６１を経て、排出口６Ｂから排出された被選別物（同じく点線矢印で示す。）は回収シュート６２を経て、排出口６Ｃから排出された被選別物（同じく点線矢印で示す。）は回収シュート６３を経て、各々回収される。
また、第３ドラム２Ｃの目開きから落下した被選別物（同じく点線矢印で示す。）は回収シュート６４を経て回収される。
【００３９】
以上述べた第１実施形態によれば、第１〜第３ドラム２Ａ〜２Ｃの形状自体（円錐台筒状）によって被選別物５の排出口６Ａ〜６Ｃ側への自重を利用した移動が行われるため、同ドラム２Ａ〜２Ｃの中心軸３を傾けることは必須でなくなる。したがって、第１〜第３ドラム２Ａ〜２Ｃ（回転槽４１）の設置時におけるドラム中心軸３の向き設定の自由度が増す。
特に、被選別物５の排出口６Ａ〜６Ｃ側への移動のために必要な第１〜第３ドラム２Ａ〜２Ｃの適正な傾斜角度を、同第１〜第３ドラム２Ａ〜２Ｃの円錐台形状自体に設定しておけば、次のような効果を発揮できる。すなわち、第１〜第３ドラム２Ａ〜２Ｃの設置時におけるドラム中心軸３の向きの細かい調整をすることなく、単に水平方向に向けるだけで、被選別物５の上記移動のための下り傾斜を適正に設定できる。
また、装置のドラム中心軸３方向の全長を長くすることなく、選別処理能力、選別種類数を増大できるという効果を発揮できる。
【００４０】
図１１は、本発明装置の第２実施形態の概略を一部切断して示す側面図である。この図に示すように、第２実施形態は図１に示す基本構成を適用したものであって、図１に示す構成部分は、図１１においてはその断面が示されている。
図１１に示すように、第２実施形態の選別装置は、周面に選別孔１Ａ（図１参照）が形成された第１ドラム２Ａを中心軸３周りに回転させ、その第１ドラム２Ａ内に、投入口４から被選別物５を投入する。そして、投入された多数の被選別物５の各々が排出口６Ａに至る途中において開口する上記選別孔１Ａから落下するか否かにより、被選別物５の各々について、その大きさの選別を行う選別装置である。
すなわち、上記選別孔１Ａの大きさよりも小さい被選別物５は選別孔１Ａから落下し、大きい被選別物５は落下せずに排出口６Ａから排出され、第１ドラム２Ａ内に投入された多数の被選別物５の各々の大きさの選別が行われる。図示例では、第１ドラム２Ａの周面部材にメッシュ材７Ａを使用しているので、その目開きよりも大きいか小さいかによって、投入された多数の被選別物５の各々の大きさの選別が行われる。
【００４１】
第２実施形態では、上記の基本構成において、第１ドラム２Ａ内のドラム中心軸３方向に交差する方向に堰、図示例ではドラム中心軸３方向に直交する方向に堰板８１を設けた。堰板８１は、ここでは３種類（８１Ａ、８１Ｂ、８１Ｃ）をドラム中心軸３方向に適宜間隔置いて配列した。
堰板８１は、メッシュ材７Ａの目開き（選別孔１Ａ：図１参照）による被選別物５の選別時間を図１に示す基本構成よりも長く確保することを主目的とする部材である。
また堰板８１は、第１ドラム２Ａ内のドラム中心軸３方向に選別域を仕切る。図示例では、第１ドラム２Ａ内を、投入口４側から排出口６Ａ側に向けて順に、主選別域９１Ａ、第１補助選別域９１Ｂ及び第２補助選別域９１Ｃと３つの選別域９１に仕切る。
【００４２】
図１２、図１３、図１４に、堰板８１Ａ、８１Ｂ、８１Ｃを例示する。これら図１２〜図１４に示すように、堰板８１Ａ、８１Ｂ、８１Ｃには、予め設定された位置（半径方向の位置：高さ位置）に、予め設定された大きさ（円周方向の長さと半径方向の幅で決められた大きさ）の通過孔８２が形成されている。通過孔８２の位置を高く（中心軸３寄りに）すれば、堰板８１による被選別物５の排出口６Ａ側への移動時間がより長くかかるので、堰板８１で仕切られる選別域９１における被選別物５の選別時間がその分、長くなる。
【００４３】
図１１に示す例では、図１２〜図１４から分かるように、堰板８１Ａ、８１Ｃの通過孔８２の高さ位置は、堰板８１Ｂの通過孔８２の高さ位置よりも高いので、堰板８１Ａ、８１Ｃで仕切られた主選別域９１Ａ及び第２補助選別域９１Ｃにおける選別時間が長くなる。１つの選別域９１における選別時間は、選別域９１のドラム中心軸３方向の距離を長く設定することによっても長くなる。
したがって、堰板８１の通過孔８２の高さ位置と選別域９１のドラム中心軸３方向の距離を適宜設定することにより、被選別物５の選別処理能力を設定し得る。
図示例において、主選別域９１Ａは、同主選別域９１Ａを仕切る堰板８１Ａの通過孔８２の高さ位置が高く、ドラム中心軸３方向の距離も長いので、選別時間が長く選別処理能力も高い選別域９１となっている。
なお堰板８１は、図１に示す基本構成に限らず、図２及び図３に示す第１、第２応用構成等にも適用できる。図２及び図３に示す構成に適用する場合、最内周のドラム以外に設けられる堰板８１は環状に形成され、その環状板面に通過孔８２が形成される。
【符号の説明】
【００４４】
１（１Ａ、１Ｂ、１Ｃ）：選別孔、２（２Ａ、２Ｂ、２Ｃ）：ドラム（第１ドラム、第２ドラム、第３ドラム）、３：ドラム中心軸、４：投入口、５：被選別物、６（６Ａ、６Ｂ、６Ｃ）：排出口、７（７Ａ、７Ｂ、７Ｃ）：メッシュ材、３１：外套、８１（８１Ａ、８１Ｂ、８１Ｃ）：堰板（堰）、Ｍ：モータ。
【図１】
0005880846.tif 000002
【図２】
0005880846.tif 000003
【図３】
0005880846.tif 000004
【図４】
0005880846.tif 000005
【図５】
0005880846.tif 000006
【図６】
0005880846.tif 000007
【図７】
0005880846.tif 000008
【図８】
0005880846.tif 000009
【図９】
0005880846.tif 000010
【図１０】
0005880846.tif 000011
【図１１】
0005880846.tif 000012
【図１２】
0005880846.tif 000013
【図１３】
0005880846.tif 000014
【図１４】
0005880846.tif 000015